(57)【要約】【課題】  搭載された磁気ヘッドの識別機能を有しつつ、機械構成及び回路構成を変更せずに異なる種別の磁気ヘッドを搭載することができるカードリーダを提供すること。【解決手段】  カード仕様によって異なる種別の磁気ヘッド６が搭載可能に構成されたカードリーダ１において、搭載された磁気ヘッド６のコイルの直流抵抗の相違に基づいて磁気ヘッド６の種別を識別するため、電圧測定回路２２と種別判断回路２３とからなる磁気ヘッド識別回路２１を備えることを特徴とする。【選択図】      図２
2005267710.tif 000002
【特許請求の範囲】
【請求項１】
カード仕様によって異なる種別の磁気ヘッドが搭載可能に構成されたカードリーダにおいて、
搭載された磁気ヘッドのコイルの直流抵抗の相違に基づいて前記磁気ヘッドの種別を識別する磁気ヘッド識別回路を備えることを特徴とするカードリーダ。
【請求項２】
前記磁気ヘッド識別回路は、前記直流抵抗の相違を電圧値として検出して、この電圧値を測定する電圧測定回路と、該電圧測定回路での測定結果に基づいて磁気ヘッドの種別を判断する種別判断回路とを備えることを特徴とする請求項１記載のカードリーダ。
【請求項３】
前記電圧測定回路は、前記磁気ヘッドの記録コイル側の電圧値を検出することを特徴とする請求項２記載のカードリーダ。
【請求項４】
前記電圧測定回路は、前記磁気ヘッドの記録コイルに直列接続された保護抵抗の両端の電圧を検出する電圧検出回路と、該電圧検出回路からの出力を差動増幅して出力する差動増幅回路とを備えることを特徴とする請求項３記載のカードリーダ。
【請求項５】
前記電圧測定回路は、さらに前記差動増幅回路からの出力をデジタル変換するＡ／Ｄコンバータを備え、前記種別判断回路は前記Ａ／Ｄコンバータからのデジタル出力情報を処理する情報処理回路であることを特徴とする請求項４記載のカードリーダ。
【請求項６】
前記カードリーダは、さらに前記情報処理回路での判断結果を上位装置に通知する情報通知回路を備えることを特徴とする請求項５記載のカードリーダ。
【請求項７】
前記磁気ヘッド識別回路は、高保磁力磁気カード用磁気ヘッドと低保磁力磁気カード用磁気ヘッドとを識別することを特徴とする請求項１から６いずれかに記載のカードリーダ。
【請求項８】
前記カードへの磁気情報の記録時に、前記磁気ヘッドには、識別された該磁気ヘッドの種別に応じた記録電流が供給されることを特徴とする請求項７記載のカードリーダ。
【発明の詳細な説明】
【技術分野】
【０００１】
本発明は、カード仕様によって異なる種別の磁気ヘッドが搭載可能に構成されたカードリーダに関する。更に詳しくは、搭載された磁気ヘッドの種別を識別する磁気ヘッド識別機能を備えるカードリーダに関する。
【０００２】
尚、本明細書において、「高保磁力磁気カード」とはＩＳＯ７８１１−６に規定される磁気ストライプを備えるカードをいい、「低保磁力磁気カード」とはＩＳＯ７８１１−２に規定される磁気ストライプを備えるカードをいう。
【背景技術】
【０００３】
磁気ストライプを有するカードに磁気情報を記録し、あるいはカードに記録された磁気情報を再生する磁気ヘッドを備えるカードリーダとして、カードの仕様によって異なる種別の磁気ヘッドが搭載可能に構成されたカードリーダが用いられている。この種のカードリーダが搭載されるＡＴＭなどの上位装置では、カードリーダに搭載された磁気ヘッドの種別を認識して適切な処理動作をする必要がある。そのため、カードリーダには磁気ヘッドに関する情報が設定され、上位装置は、その情報に基づいてカードリーダに搭載された磁気ヘッドの種別を認識している。すなわち、カードリーダは磁気ヘッドの識別機能を有している。
【０００４】
従来から、磁気ヘッドに関する情報は、回路基板に必要な抵抗を取り付けたり、または取り付ける抵抗の値を変えることで設定されている。すなわち、回路基板上で、磁気ヘッドごとに情報の設定が行われており、設定された各磁気ヘッドに固有の情報が上位装置に対して出力されている。
【発明の開示】
【発明が解決しようとする課題】
【０００５】
近年、カードの多種多様化に伴い、磁気ヘッドも多種多様化している。そのため、磁気ヘッドのみを変更するカードリーダのマイナーチェンジが頻繁に行われるようになってきている。特に、昨今のカード偽造問題から、高保磁力磁気カードが多く使用されるようになってきているため、低保磁力磁気カード用磁気ヘッドから高保磁力磁気カード用磁気ヘッドへの変更は頻繁に行われるようになっている。一方、低保磁力磁気カードも市場では多く利用されている。そのため、互換性やコスト等を考慮して、カードの仕様によって異なる種別の磁気ヘッドを搭載可能に構成するのみならず、磁気ヘッドが変更されても機械構成及び回路構成の変更を必要とせず、共通使用可能なカードリーダが要求されている。
【０００６】
しかしながら、従来のカードリーダにおいては、回路基板に取り付けられる抵抗によって磁気ヘッドの情報が設定されていたことから、磁気ヘッドのみを取り替えるマイナーチェンジであったとしても、磁気ヘッドの変更に伴う回路基板の変更が必要である。そのため、磁気ヘッドの種別ごとに回路基板を用意しなければならず、回路基板の部品管理が煩雑となったり、多品種少量生産となるため回路基板の生産コストが上昇するといった問題が生じる。
【０００７】
そこで、本発明の課題は、搭載された磁気ヘッドの識別機能を備え、尚かつ、機械構成及び回路構成を変更せずに異なる種別の磁気ヘッドを搭載することができるカードリーダを提供することにある。
【課題を解決するための手段】
【０００８】
上記の課題を解決するため、本発明では、カード仕様によって異なる種別の磁気ヘッドが搭載可能に構成されたカードリーダにおいて、搭載された磁気ヘッドのコイルの直流抵抗の相違に基づいて前記磁気ヘッドの種別を識別する磁気ヘッド識別回路を備えることを特徴とする。
【０００９】
本発明では、搭載された磁気ヘッドのコイルの直流抵抗の相違に基づいて磁気ヘッドの種別を識別する磁気ヘッド識別回路を備えている。そのため、回路基板上で磁気ヘッドの情報を設定することなく、磁気ヘッドの種別を自動的に識別することができる。従って、磁気ヘッド識別回路で得られた識別結果を上位装置に出力することで、上位装置で、カードリーダに搭載された磁気ヘッドの認識をすることができるようになる。
【００１０】
本発明において、前記磁気ヘッド識別回路は、前記直流抵抗の相違を電圧値として検出して、この電圧値を測定する電圧測定回路と、該電圧測定回路での測定結果に基づいて磁気ヘッドの種別を判断する種別判断回路とを備えて構成することができる。すなわち、直流抵抗の相違を電圧値として検出して、この電圧値から磁気ヘッドの種別を判断することができる。
【００１１】
本発明において、前記電圧測定回路は、前記磁気ヘッドの記録コイル側の電圧値を検出することが好ましい。この場合には、カードリーダがもともと有する記録電流供給回路からコイルに対して電流を供給することが可能となり、その結果、直流抵抗の相違を電圧値として検出することができるようになる。従って、コイルへの電流供給手段を別途設けることなく電圧値を検出することができるため、カードリーダの構成を簡素化することができる。
【００１２】
本発明において、前記電圧測定回路は、前記磁気ヘッドの記録コイルに直列接続された保護抵抗の両端の電圧を検出する電圧検出回路と、該電圧検出回路からの出力を差動増幅して出力する差動増幅回路とを備えることが好ましい。この場合には、簡易な回路構成で、電圧の測定が可能となる。
【００１３】
本発明において、前記電圧測定回路は、さらに前記差動増幅回路からの出力をデジタル変換するＡ／Ｄコンバータを備え、前記種別判断回路は前記Ａ／Ｄコンバータからのデジタル出力情報を処理する情報処理回路であることが好ましい。この場合には、電圧測定回路から取り扱いが容易なデジタル信号が出力できるようになり、磁気ヘッドの種別を取り扱いが容易なデジタル信号で判断できるようになる。また、磁気ヘッドの識別結果を取り扱いが容易なデジタル信号で上位装置に対して出力することも可能となる。
【００１４】
本発明において、前記カードリーダは、さらに前記情報処理回路での判断結果を上位装置に通知する情報通知回路を備えることが好ましい。この場合には、カードリーダから上位装置に対して磁気ヘッドの判断（識別）結果を直接、通知することができる。
【００１５】
本発明において、前記磁気ヘッド識別回路は、高保磁力磁気カード用磁気ヘッドと低保磁力磁気カード用磁気ヘッドとを識別するように構成することができる。この場合には、特に、昨今、多く使用されることとなった高保磁力磁気カード用磁気ヘッドと従来から用いられている低保磁力磁気カード用磁気ヘッドとの共通使用が可能なカードリーダを提供することができる。また、このカードリーダにおいては、前記カードへの磁気情報の記録時に、前記磁気ヘッドには、識別された該磁気ヘッドの種別に応じた記録電流が供給されることになる。
【発明の効果】
【００１６】
本発明におけるカードリーダは、カードリーダに搭載された磁気ヘッドのコイルの直流抵抗の相違に基づいて磁気ヘッドの種別を識別する磁気ヘッド識別回路を備えている。そのため、回路基板上で磁気ヘッドの情報を設定することなく、磁気ヘッドの種別を自動的に識別することができる。その結果、搭載された磁気ヘッドの識別機能を備え、尚かつ、機械構成及び回路構成を変更することなく異なる種別の磁気ヘッドを搭載することができる。
【発明を実施するための最良の形態】
【００１７】
以下、本発明を実施するための最良の形態を図面に基づいて説明する。
【００１８】
（カードリーダの概略構成）
図１は、本発明の実施の形態にかかるカードリーダを示す構成概略図である。
【００１９】
本形態にかかるカードリーダ１は、磁気ストライプを有するカード２をカード挿入口３から内部に取り込み、カード搬送手段４によりカード２をカード搬送路５内で搬送させながら、磁気ヘッド６でカード２に磁気情報を記録し、あるいはカード２に記録された磁気情報を再生するものである。カード挿入口３のカード挿入方向奥側には、カード２の挿入を検出するプリヘッド８が設けられている。また、カードリーダ１は、ＩＣ接点に接触してデータの通信を行う接触式のＩＣ接点ブロック７を備えている。従って、カード３がＩＣ接点を有している場合には、ＩＣ接点ブロック７によって、カード３とのデータ通信が可能となっている。
【００２０】
カード搬送手段４は、駆動モータ９と、カード搬送路５に配置されカード２を搬送する３つの搬送ローラ対１０〜１２とを備えている。カード挿入口３側から２番目に配置された搬送ローラ対１０の上側ローラの回転軸には、プーリ１３が固定されており、駆動モータ９の駆動力が駆動ベルト１４を介してプーリ１３に伝達されるようになっている。また、プーリ１３へ伝達された駆動力が搬送ローラ対１０に伝達され、搬送ローラ対１０に伝達された駆動力は駆動ベルト１５を介して残りの搬送ローラ対１１、１２に伝達されるようになっている。
【００２１】
カードリーダ１は、カード２の仕様によって異なる種別の磁気ヘッド６が搭載可能に構成されている。より具体的には、カードリーダ１は、その機械構成や回路構成を変更することなく磁気ヘッド６のみを変更できるようになっている。本形態では、磁気ヘッド６として、高保磁力磁気カード用磁気ヘッドと低保磁力磁気カード用磁気ヘッドとが搭載可能に構成されている。また、本形態における磁気ヘッド６は磁気記録及び再生が可能な記録再生機能を有している。
【００２２】
（磁気ヘッド識別回路の構成）
図２は、磁気ヘッド識別回路及びその周辺の回路の構成を示す回路図である。
【００２３】
磁気ヘッド識別回路２１は、カードリーダ１に搭載された磁気ヘッド６のコイルの直流抵抗の相違に基づいて磁気ヘッド６の種別を識別するための回路である。本形態では、磁気ヘッド識別回路２１は、高保磁力磁気カード用磁気ヘッドと低保磁力磁気カード用磁気ヘッドとを識別するための回路であり、磁気ヘッド６のコイルの直流抵抗を電圧値として検出して、この電圧値を測定する電圧測定回路２２と、電圧測定回路２２での測定結果に基づいて磁気ヘッド６の種別を判断する種別判断回路２３を備えている。
【００２４】
また、磁気ヘッド識別回路２１の周辺の回路として、カードリーダ１は、種別判断回路２３から出力された情報を例えばＡＴＭ等の上位装置２９に通知する情報通知回路２４と、磁気ヘッド６の記録コイルへ記録電流を供給する記録電流供給回路２５とを備えている。
【００２５】
記録電流供給回路２５は、磁気ヘッド６の記録コイルへ記録電流を供給するための電源を備え、磁気ヘッド６の記録コイルの両端に直列接続された保護抵抗３１、３２を介して磁気ヘッド６の記録コイルへ接続されている。本形態における記録電流供給回路２５は、磁気ヘッド６が、高保磁力磁気カード用磁気ヘッドである場合、低保磁力磁気カード用磁気ヘッドである場合のいずれの場合にも対応した記録電流を供給できるようになっている。
【００２６】
電圧測定回路２２は、磁気ヘッド６の記録コイルに直列接続された保護抵抗３１の両端の電圧を検出する電圧検出回路２６と、電圧検出回路２６からの出力を差動増幅して出力する差動増幅回路２７と、差動増幅回路２７からの出力をデジタル変換するＡ／Ｄコンバータ２８とを備えている。
【００２７】
電圧検出回路２６は、磁気ヘッド６の記録コイル側の電圧値を検出するため、保護抵抗３１とその両端側で接続された信号線とから構成されている。差動増幅回路２７は、具体的にはオペアンプであり、保護抵抗３１の両端の電圧のうち、記録電流供給回路２５側の電圧値が反転入力端子に入力され、磁気ヘッド６側の電圧値が非反転入力端子に入力されるようになっている。尚、記録電流供給回路２５側の電圧値が非反転入力端子に入力され、磁気ヘッド６側の電圧値が反転入力端子に入力されるようになっていてもよい。Ａ／Ｄコンバータ２８は、差動増幅回路２７からの出力を所定のデジタル値に変換して、デジタル値を出力するようになっている。
【００２８】
種別判断回路２３は、本形態では、Ａ／Ｄコンバータ２８からのデジタル出力情報を処理して磁気ヘッド６の種別を判断する情報処理回路であり、具体的にはカードリーダ１の回路基板上に配置されたＣＰＵである。また、種別判断回路２３から出力された情報を上位装置２９に通知する情報通知回路２４は、具体的には、インターフェース回路となっている。
【００２９】
（磁気ヘッドの識別動作）
以上のように構成されたカードリーダ１における磁気ヘッド６の識別動作を以下に説明する。磁気ヘッド６の識別動作は、カードリーダ１が上位装置２９に搭載された状態で行われる。まず、上位装置２９から磁気ヘッド識別指令が情報通知回路２４としてのインターフェース回路を介してカードリーダ１に入力されて磁気ヘッド６の識別動作が開始される。
【００３０】
磁気ヘッド６の識別動作時には、まず、上位装置２９から磁気ヘッド識別指令を受けた記録電流供給回路２５から磁気ヘッド６に対して、一定電圧で電流が供給される。本形態では、例えば、低保磁力磁気カード用磁気ヘッドの磁気記録に対応した一定電圧で磁気ヘッド６に電流が供給される。ここで、磁気ヘッド６が高保磁力磁気カード用磁気ヘッドである場合と低保磁力磁気カード用磁気ヘッドである場合とでは、コイルの直流抵抗が相違する。例えば、低保磁力磁気カード用磁気ヘッドのコイルの直流抵抗は、高保磁力磁気カード用磁気ヘッドのコイルの直流抵抗の約５倍となっている。そのため、磁気ヘッド６及び保護抵抗３１、３２に流れる電流値が相違する。この電流値の相違を保護抵抗３１の両端の電圧降下として検出して処理することで、磁気ヘッド６の種別の識別が行われる。
【００３１】
より具体的には、電圧検出回路２６により保護抵抗３１の両端の電圧が検出され、電圧検出回路２６からの出力が差動増幅回路２７で差動増幅されて出力される。差動増幅回路２７からの出力は、Ａ／Ｄコンバータ２８によりデジタル値に変換され、種別判断回路２３であるＣＰＵへ、そのデジタル値が入力される。種別判断回路２３では所定の演算処理が行われて磁気ヘッド６の種別が判断される。この判断結果は、情報通知回路２４によって上位装置２９へ通知され、その通知内容に基づいて、上位装置２９は、カードリーダ１に搭載された磁気ヘッド６の種別を認識する。そして、上位装置２９は、磁気ヘッド６の種別に対応して適切な処理動作が行うことになる。例えば、識別された磁気ヘッド６の種別に応じて、上位装置２９から記録電流値設定指令が記録電流供給回路２５に入力されて、記録電流供給回路２５で記録電流値の設定が行われる。そして、カード２への磁気情報の記録時には、識別された磁気ヘッド６の種別に応じた記録電流が磁気ヘッド６に供給される。尚、この磁気ヘッド６の識別動作はカードリーダ１が上位装置２９に搭載された後の初期設定時に行われるが、上位装置２９からのヘッド識別指令を受けることでいつでも実施することができる。また、記録電流値の設定を上位装置２９で行い、識別された磁気ヘッド６の種別に応じた記録電流が磁気ヘッド６に供給されるように、カード２への磁気情報の記録時に、上位装置２９から磁気情報記録指令をカードリーダ１に入力することもできる。
【００３２】
（本形態の効果）
以上説明したように、本形態におけるカードリーダ１は、搭載された磁気ヘッド６のコイルの直流抵抗の相違に基づいて磁気ヘッド６の種別を識別する磁気ヘッド識別回路２１を備えている。そのため、回路基板上で磁気ヘッド６の情報を設定することなく、磁気ヘッド６の種別を自動的に識別することができる。従って、磁気ヘッド識別回路２１で得られた識別結果を上位装置２９に通知してやれば、上位装置２９では、カードリーダ１に搭載された磁気ヘッド６の認識をすることができるようになる。
【００３３】
本形態では、電圧測定回路２２は、電圧検出回路２６と差動増幅回路２７を備えて構成されている。従って、簡易な回路構成で、磁気ヘッド６のコイルの直流抵抗の相違を電圧値として検出することができる。
【００３４】
本形態では、電圧測定回路２２は、磁気ヘッド６の記録コイル側の電圧値を検出している。そのため、磁気記録のためにカードリーダ１がもともと有する記録電流供給回路２５から磁気ヘッド６のコイルに対して電流を供給することができ、直流抵抗の相違を電圧値として検出することができようになる。従って、コイルへの電流供給手段を別途設けることなく電圧値を検出することができるため、カードリーダ１の構成を簡素化することができる。
【００３５】
本形態では、電圧測定回路２２がＡ／Ｄコンバータ２８を備えるとともに、種別判断回路２３は、Ａ／Ｄコンバータ２８からのデジタル出力情報を処理する情報処理回路である。そのため、電圧測定回路２２から取り扱いが容易なデジタル信号が出力できるようになり、種別判断回路２３において、磁気ヘッド６の種別を取り扱いが容易なデジタル信号で判断できるようになる。また、磁気ヘッド６の識別結果を取り扱いが容易なデジタル信号で上位装置２９に対して出力することできる。
【００３６】
本形態では、カードリーダ１は情報通知回路２４を備えている。そのため、カードリーダ１から上位装置２９に対して磁気ヘッド６の識別結果を直接、通知することができる。すなわち、カードリーダ１と上位装置２９との間に情報通知機能を備える装置を設ける必要がなく、上位装置２９における構成の簡素化が図れることになる。
【００３７】
本形態では、磁気ヘッド識別回路２１は、高保磁力磁気カード用磁気ヘッドと低保磁力磁気カード用磁気ヘッドとを識別するように構成されている。そのため、特に、昨今、多く使用されることとなった高保磁力磁気カード用磁気ヘッドと従来から用いられている低保磁力磁気カード用磁気ヘッドとの共通使用が可能なカードリーダ１を提供することができる。
【００３８】
（他の実施の形態）
上述した形態は、本発明の好適な形態の一例ではあるが、これに限定されるものではなく本発明の要旨を変更しない範囲において種々変形可能である。例えば、上記形態においては、電圧測定回路２２では、記録コイル側の電圧値を検出していたが、高保磁力磁気カード用磁気ヘッドと低保磁力磁気カード用磁気ヘッドとでは、再生コイルの直流抵抗も相違することから、再生コイル側の電圧値を検出して磁気ヘッド６の識別に用いても良い。尚、この場合には再生コイルに電流を供給するための電流供給手段を別途設ける必要がある。
【００３９】
また、上記形態では、磁気ヘッド６の直流抵抗の相違を電圧値として検出して処理しているが、一定電圧をかけたときに磁気ヘッド６の流れる電流値を検出して処理することで磁気ヘッド６の種別を識別しても良い。
【００４０】
さらに、上記形態では、電圧測定回路２２は、差動増幅回路２７からの出力をデジタル変換するＡ／Ｄコンバータ２８を備えていたが、Ａ／Ｄコンバータ２８に代えて、アナログ値のまま処理を行う電圧測定回路を設けても良い。この場合には、種別判断回路２３は、アナログデータを処理して磁気ヘッド６の種別を判断する回路となる。
【００４１】
さらにまた、上記形態は、磁気ヘッド６が、高保磁力磁気カード用磁気ヘッドである場合と低保磁力磁気カード用磁気ヘッドである場合とを識別していたが、識別できる磁気ヘッド６はこれらに限定されない。すなわち、例えば、再生機能のみを備える１チャンネルの磁気ヘッドと記録再生機能を備える多チャンネルの磁気ヘッドとを識別することも可能である。この場合、記録コイルを備える多チャンネルの磁気ヘッドのときは、差動増幅回路２７から所定の出力が得られ、また、１チャンネルの磁気ヘッドのときは、保護抵抗３１と３２とを接続する記録コイルが存在しないことから保護抵抗３１に電流が流れず、差動増幅回路２７からの出力は０となる。従って、多チャンネルの磁気ヘッドが有する所定の直流抵抗と、１チャンネルの磁気ヘッドが有する無限大の直流抵抗との相違から、１チャンネルの磁気ヘッドと多チャンネルの磁気ヘッドとの識別が可能である。また、本発明を適用することでその他の磁気ヘッドについても識別が可能となる。
【００４２】
また、上記形態では、磁気ヘッド６を識別し、記録電流値の設定を行った後に、カード２に磁気情報の記録を行っているが、磁気情報の記録と同時に磁気ヘッド６の識別動作を行って記録電流値を設定することも可能である。
【図面の簡単な説明】
【００４３】
【図１】本発明の実施の形態にかかるカードリーダを示す構成概略図である。
【図２】磁気ヘッド識別回路及びその周辺の回路の構成を示す回路図である。
【符号の説明】
【００４４】
１  カードリーダ
２  カード
６  磁気ヘッド
２１  磁気ヘッド識別回路
２２  電圧測定回路
２３  種別判断回路（情報処理回路）
２４  情報通知回路
２５  記録電流供給回路
２６  電圧検出回路
２７  差動増幅回路
２８  Ａ／Ｄコンバータ
２９  上位装置
【図１】
2005267710.tif 000003
【図２】
2005267710.tif 000004